(57)【要約】      （修正有）【課題】循環する力の特徴を利用し、時間や力を相対的に、又絶対的に作用させることで時間や力の制約を受けない産業技術を提供する。【解決手段】一方に進む右ねじの性質を持つ力に対して逆に進む左ねじの性質を持つ力が逆の進行方向に干渉し、１つの循環するトーラスの形状をした循環する力が発生する。この循環する力は回転方向が相対的に一方向である。２つの循環する力を回転方向を絶対的に逆に作用させると、一方の循環する力から対象を見たとき力は循環している。この一方の力を利用出来るのは力の基本的な特徴を利用しているからである。又、従来の産業技術が重力を一例とする力の影響を受ける理由は時間の経過による結果であり、同様に時間の経過は力が進むことの影響による結果であるので、２つの循環する力を静止させると力とともに時間を静止させることが可能となる。この力の利用方法を産業技術に利用する。【選択図】図３１
2006296174.tif 000002
【特許請求の範囲】
【請求項１】
循環する力を利用する為の方法。
【請求項２】
循環する力は進む方向と回転の向きを特徴付ける右ねじの性質を持つ力と左ねじの性質を持つ力が干渉することでトーラスの形状に循環することを利用し、２つの循環する力に相対的な作用又は絶対的な作用をさせること、及びそれらによって得られる効果を利用し得る全ての産業技術に利用することが目的であることを特長とする請求項１記載の循環する力を利用する為の方法。
【請求項３】
力、とは変化を引き起こす作用であることを特長とする請求項２記載の循環する力を利用する為の方法。
【請求項４】
循環、とは本質を保つことを特長とする請求項２記載の循環する力を利用する為の方法。
【請求項５】
循環する力、とは右ねじの性質を持つ力と左ねじの性質を持つ力が絶対的に進む方向（１）を逆とし、又相対的に回転方向（２）を同じくすることを特徴とする請求項２記載の循環する力を利用する為の方法。
【請求項６】
循環する力、とはトーラスの形状に循環し、進む方向（１）が同一であれば、回転の向きも同一であることを特徴とする請求項２記載の循環する力を利用する為の方法。
【請求項７】
右ねじの性質、とはねじが進む方向を向いて時計回りの向きに進むことであり、左ねじの性質、とはねじが進む方向を向いて反時計回りの向きに進むことであることを特長とする請求項２記載の循環する力を利用する為の方法。
【請求項８】
トーラスの形状、とは右ねじの性質を持つ力と左ねじの性質を持つ力が絶対的に進む方向を逆としたときの干渉における波紋であり、円柱の両端面を貼り合わせた形状であることを特徴とする請求項２記載の循環する力を利用する為の方法。
【請求項９】
相対的な作用、とは２つの循環する力が相対的な時間で本質を保つことを特長とする請求項２記載の循環する力を利用する為の方法。
【請求項１０】
相対的な作用、とは２つの循環する力が相対的に逆回転方向の作用によって循環することを特長とする請求項２記載の循環する力を利用する為の方法。
【請求項１１】
絶対的な作用、とは２つの循環する力が絶対的な時間で本質を保つことを特長とする請求項２記載の循環する力を利用する為の方法。
【請求項１２】
絶対的な作用、とは２つの循環する力には、絶対的に進む方向（１）及び回転方向（３）を失くすことを特長とする請求項２記載の循環する力を利用する為の方法。
【請求項１３】
絶対的な作用、とは２つの循環する力が時間を静止した状態になることを特長とする請求項２記載の循環する力を利用する為の方法。
【請求項１４】
２つの循環する力に相対的な作用をさせる、とは２つの循環する力を絶対的に回転方向（２）が逆となるように作用させ、相対的に逆回転方向の作用によって循環させることを特徴とする請求項２記載の循環する力を利用する為の方法。
【請求項１５】
２つの循環する力に絶対的な作用をさせる、とは２つの循環する力を絶対的に回転方向（２）が逆となるように作用させ、相対的に逆回転方向の作用によって循環する力を反作用させ、絶対的に進む方向（１）及び回転方向（２）を失わせることを特長とする請求項２記載の循環する力を利用する為の方法。
【請求項１６】
相対的な作用をさせることによって得られる効果、とは相対的に逆回転方向の作用によって循環する一方の循環する力を絶対的な力として利用出来ることを特長とする請求項２記載の循環する力を利用する為の方法。
【請求項１７】
絶対的な作用をさせることよって得られる効果、とは絶対的に回転方向及び進む方向を失わせた２つの循環する力は、時間が静止した状態になり、時間の影響を受けなくなることを特長とする請求項２記載の循環する力を利用する為の方法。
【請求項１８】
利用し得る全ての産業技術、とは循環する力や循環するための媒体を特定又は制限せず、全ての産業技術を対象としていることを特徴とする請求項２記載の循環する力を利用する為の方法。
【発明の詳細な説明】
【技術分野】
【０００１】本発明は、力、又は時間の基本的な特徴を明確にし、その特徴を利用可能にする為の方法である。
【背景技術】
【０００２】従来において、本発明が目的とする実用可能な産業技術はない。
【発明の開示】
【発明が解決しようとする課題】
【０００３】従来の産業技術においては時間や力（例えば重力）による影響を前提とした制約や、又石油やガス等の資源エネルギーのような力は消費的な利用しか出来ないことが問題である。
【課題を解決するための手段】
【０００４】一方に進む右ねじの性質を持つ力に対して逆に進む左ねじの性質を持つ力が逆の進行方向に干渉し、１つの循環するトーラスの形状をした循環する力が発生する。この循環する力においては回転方向が相対的に一方向である。これが力、又は時間の基本的な特徴である。２つの循環する力を用意し回転方向を絶対的に逆に作用させると、一方の循環する力から対象を見たとき力は循環している。この一方の力を利用出来るのは力の基本的な特徴を利用しているからである。又、従来の産業技術が重力を一例とする力の影響を受ける理由は時間の経過による結果であり、同様に時間の経過は力が進むことの影響による結果であるので、２つの循環する力を静止させることによって、力共に時間を静止させることが可能となる。この力の利用方法を産業技術に利用することで課題を解決する。
【発明の効果】
【０００５】相対的な力の利用、又絶対的な力の利用が行える。（例えば循環型エネルギーへの利用や重力の影響を受けない運搬装置への利用等）
【発明を実施するための最良の形態】
【０００６】組み合わせてトーラスの形状となる磁石を製作し、中心部となる磁石と円周部となる磁石を磁力の回転方向が逆になるように作用させる。
【実施例】
【０００７】物理的な効果を得る為に力の作用を受ける媒体を磁石とし、力を容易に操作する為に磁力を使用する。（磁石は保磁力が大きい材料で作られていることが望ましい）【０００８】循環する力によって物理的な効果を得る為に、磁石の形状をトーラスの形状に加工する。（トーラス形磁石の環状部は、同トーラス形磁石の最大半径を直径とした円であることが極めて望ましい）【０００９】トーラス形磁石には、右ねじの性質を持つ磁力と左ねじの性質を持つ磁力が１つとなった磁力が循環するが、本発明の効果には２つの循環する力が必要であると同時に物理的な効果を得る為に、同トーラス形磁石を環状部の中心を通る円に垂直な面で二分する。【００１０】二分したトーラス形中心側の磁石（８）と円周側の磁石（９）は、それぞれ同一の強さの循環する磁力を有するので、本発明に必要な二組の循環する力と、物理的な効果を得る為の媒体となる。【００１１】二分した面で一組のトーラス形磁石となるように、２つの循環する磁力、又はトーラス形中心側の磁石（８）と円周側の磁石（９）を絶対的に回転方向が逆となるように作用させる、又は組み合わせる。【００１２】中心側の磁石（８）と円周側の磁石（９）を逆回転方向に作用させることで、２つの循環する磁力は相対的な作用となり、どちらか一方を絶対的な力として利用可能となる。【００１３】又、相対的な作用をする２つの循環する磁力を反作用させる、又は逆回転方向に作用する中心側の磁石（８）と円周側の磁石（９）を固定することで、２つの循環する磁力は絶対的な作用となり、回転方向、又進む方向を失い及び時間を静止した状態になる。【００１４】絶対的な作用をする２つの循環する磁力は回転方向又進む方向を失い、その反作用によって中心側の磁石（８）と円周側の磁石（９）は質量を保ったまま重力を失い、静止した状態を維持することが可能となる。
【産業上の利用可能性】
【００１５】力の基本的な特徴を明確化したことによって、あらゆる産業への利用が期待できる。
【図面の簡単な説明】
【００１６】
【図１】循環する力の正対切断面図
【図２】循環する力の反対切断面図
【図３】絶対的に循環する力の切断面図
【図４】絶対的に循環する力の側面図
【図５】絶対的に循環する力の平面図
【図６】相対的に循環する力の切断面図
【図７】相対的に循環する力の側面図
【図８】相対的に循環する力の平面図
【図９】循環する力の正対側面図
【図１０】循環する力の平面図
【図１１】循環する力の反対平面図
【図１２】循環する力の平面における切断面表示図
【図１３】図１２による循環する力の切断面図
【図１４】図１３の循環する力の分解図（中心に右ねじの性質を持つ力）
【図１５】図１３の循環する力の側面図（中心に右ねじの性質を持つ力）
【図１６】図１３の循環する力の分解図（中心に左ねじの性質を持つ力）
【図１７】図１３の循環する力の側面図（中心に左ねじの性質を持つ力）
【図１８】トーラス形媒体（磁石）側面図
【図１９】トーラス形媒体（磁石）と循環する力（磁力）の側面図
【図２０】トーラス形媒体（磁石）平面又は反対平面図
【図２１】トーラス形媒体（磁石）と循環する力（磁力）の平面図
【図２２】トーラス形媒体（磁石）と循環する力（磁力）の反対平面図
【図２３】トーラス形媒体（磁石）平面における切断面表示図
【図２４】図２３によるトーラス形媒体（磁石）と循環する力（磁力）の切断面図
【図２５】トーラス形媒体（磁石）側面における切断面表示図
【図２６】トーラス形媒体（磁石）平面における切断面表示図
【図２７】図２５、２６による中心側の媒体（磁石）平面における切断面表示図
【図２８】図２７による中心側の媒体（磁石）と循環する力（磁力）の切断面図
【図２９】図２５、２６による円周側の媒体（磁石）平面における切断面表示図
【図３０】図２９による円周側の媒体（磁石）と循環する力（磁力）の切断面図
【図３１】中心側媒体（磁石）及び循環する力（磁力）と、円周側の媒体（磁石）及び循環する力（磁力）が絶対的に回転方向を逆とする組合せ図
【図３２】中心側の媒体（磁石）と、円周側の媒体（磁石）が絶対的に循環する力の状態で合体している切断面図
【図３３】中心側の媒体（磁石）と、円周側の媒体（磁石）が絶対的に循環する力の状態で合体している側面図
【図３４】中心側の媒体（磁石）と、円周側の媒体（磁石）が絶対的に循環する力の状態で合体している平面図
【図３５】中心側の媒体（磁石）と、円周側の媒体（磁石）が相対的に循環する力の状態で合体している切断面図
【図３６】中心側の媒体（磁石）と、円周側の媒体（磁石）が相対的に循環する力の状態で合体している側面図
【図３７】中心側の媒体（磁石）と、円周側の媒体（磁石）が相対的に循環する力の状態で合体している平面図
【符号の説明】
【００１７】１  循環する力の進む方向
２  循環する力の回転方向
３  循環する力の平面における切断面の表示
４  トーラス形媒体（磁石）平面における切断面の表示
５  トーラス形媒体（磁石）側面及び上面からの切断面の表示
６  中心側の媒体（磁石）平面における切断面の表示
７  中心側の媒体（磁石）平面における切断面の表示
８  中心側の媒体（磁石）
９  円周側の媒体（磁石）
【図１】
2006296174.tif 000003
【図２】
2006296174.tif 000004
【図３】
2006296174.tif 000005
【図４】
2006296174.tif 000006
【図５】
2006296174.tif 000007
【図６】
2006296174.tif 000008
【図７】
2006296174.tif 000009
【図８】
2006296174.tif 000010
【図９】
2006296174.tif 000011
【図１０】
2006296174.tif 000012
【図１１】
2006296174.tif 000013
【図１２】
2006296174.tif 000014
【図１３】
2006296174.tif 000015
【図１４】
2006296174.tif 000016
【図１５】
2006296174.tif 000017
【図１６】
2006296174.tif 000018
【図１７】
2006296174.tif 000019
【図１８】
2006296174.tif 000020
【図１９】
2006296174.tif 000021
【図２０】
2006296174.tif 000022
【図２１】
2006296174.tif 000023
【図２２】
2006296174.tif 000024
【図２３】
2006296174.tif 000025
【図２４】
2006296174.tif 000026
【図２５】
2006296174.tif 000027
【図２６】
2006296174.tif 000028
【図２７】
2006296174.tif 000029
【図２８】
2006296174.tif 000030
【図２９】
2006296174.tif 000031
【図３０】
2006296174.tif 000032
【図３１】
2006296174.tif 000033
【図３２】
2006296174.tif 000034
【図３３】
2006296174.tif 000035
【図３４】
2006296174.tif 000036
【図３５】
2006296174.tif 000037
【図３６】
2006296174.tif 000038
【図３７】
2006296174.tif 000039